(57)【要約】【課題】  ボタンホールにボタンを容易に掛けることができるとともに、一旦ボタンホールにボタンを掛ければボタンがボタンホールから簡単に抜け落ちることのない簡易ボタン掛け用ボタンホールの構造を提供する。【解決手段】  シャツＳの前合わせ部に備わったボタンを掛ける簡易ボタン掛け用ボタンホールの構造において、シャツの前合わせ部５０であって当該前合わせ部の延在方向に形成され、挿入されるボタンの直径と同等かそれよりも大きい長さを有するスリット状のメインボタンホール１１と、メインボタンホールのシャツ下方側端部において当該メインボタンホールと交差する方向に形成され、当該メインボタンホールにボタンを挿入するのを補助する補助用ボタンホール１２を備え、メインボタンホールと補助用ボタンホールとが略Ｔ字状をなしている。【選択図】  図１
0003108294.tif 000002
【実用新案登録請求の範囲】
【請求項１】
シャツの前合わせ部に備わったボタンを掛ける簡易ボタン掛け用ボタンホールの構造において、
シャツの前合わせ部であって当該前合わせ部の延在方向に形成され、挿入されるボタンの直径と同等かそれよりも大きい長さを有するスリット状のメインボタンホールと、前記メインボタンホールのシャツ下方側端部において当該メインボタンホールと交差する方向に形成され、当該メインボタンホールにボタンを挿入するのを補助する補助用ボタンホールを備え、
前記メインボタンホールと補助用ボタンホールとが略Ｔ字状をなしていることを特徴とする簡易ボタン掛け用ボタンホールの構造。
【請求項２】
上着の前合わせ部に備わったボタンを掛ける簡易ボタン掛け用ボタンホールの構造において、
上着の前合わせ部であって当該前合わせ部の延在方向と交差する方向に形成され、挿入されるボタンの直径と同等かそれよりも大きい長さを有するスリット状のメインボタンホールと、前記メインボタンホールの上着側方側端部において当該メインボタンホールと交差する方向に形成され、当該メインボタンホールにボタンを挿入するのを補助する補助用ボタンホールを備え、
前記メインボタンホールと補助用ボタンホールとが略Ｔ字状をなしていることを特徴とする簡易ボタン掛け用ボタンホールの構造。
【請求項３】
シャツの首部に備わったボタンをシャツの襟部に止める簡易ボタン掛け用ボタンホールの構造において、
シャツの襟部であって一端が当該襟部先端側に向かい他端が襟部基端側に向かって形成され、挿入されるボタンの直径と同等かそれよりも大きい長さを有するスリット状のメインボタンホールと、前記メインボタンホールの何れかの端部において当該メインボタンホールと交差する方向に形成され、当該メインボタンホールにボタンを挿入するのを補助する補助用ボタンホールを備え、
前記メインボタンホールと補助用ボタンホールとが略Ｔ字状をなしていることを特徴とする簡易ボタン掛け用ボタンホールの構造。
【請求項４】
シャツの袖部に備わったボタンを掛ける簡易ボタン掛け用ボタンホールの構造において、
シャツの袖部であって一端が袖合わせ部側に向かい他端が袖合わせ部と反対側に向かって形成され、挿入されるボタンの直径と同等かそれよりも大きい長さを有するスリット状のメインボタンホールと、前記メインボタンホールの袖合わせ部と反対側端部において当該メインボタンホールと交差する方向に形成され、当該メインボタンホールにボタンを挿入するのを補助する補助用ボタンホールを備え、
前記メインボタンホールと補助用ボタンホールとが略Ｔ字状をなしていることを特徴とする簡易ボタン掛け用ボタンホールの構造。
【請求項５】
ズボンのウエスト前合わせ部に備わったボタンを掛ける簡易ボタン掛け用ボタンホールの構造において、
ズボンのウエスト前合わせ部であってウエスト周り方向に延在形成され、挿入されるボタンの直径と同等かそれよりも大きい長さを有するスリット状のメインボタンホールと、前記メインボタンホールのウエスト前合わせ部と反対側端部において当該メインボタンホールと交差する方向に形成され、当該メインボタンホールにボタンを挿入するのを補助する補助用ボタンホールを備え、前記メインボタンホールと補助用ボタンホールとが略Ｔ字状をなしていることを特徴とする簡易ボタン掛け用ボタンホールの構造。
【考案の詳細な説明】
【技術分野】
【０００１】
本考案は、シャツや背広、ジャケットなどの衣服に備わったボタンホールの構造、特に介護を必要とする者が自らボタンを掛けるのに適したボタンホールの構造に関する。
【背景技術】
【０００２】
通常、シャツや背広、ジャケットなどの衣服に備わったボタンホールはボタンの直径にボタンの厚みを加えた程度の長さを有する一方向に形成されただけのスリットの形態を備えている。この様なボタンホールが例えばシャツの前合わせ部や袖口並びに襟、背広やジャケットの前合わせ部に形成されている。そして、このようなボタンホールにかがり糸をかがる装置も知られている（例えば、特許文献１参照）。
【０００３】
一方、かかるボタンホールへのボタンの装着性を向上させたものとして、衣服の前合わせ部に略十字型のスリットからなるボタンホールを複数配列したものも知られている（例えば、特許文献２参照）。
【特許文献１】特開平１１−３３３１６４号公報（３−６頁、図１４）
【特許文献１】実公昭５０−２２８０７号公報（２頁、第３図、第４図）
【考案の開示】
【考案が解決しようとする課題】
【０００４】
前者の単なるスリットからなるボタンホールを備えたシャツをクリーニングに出すと、洗濯した後にシャツ全体を糊付けしてアイロンがけした後、ボタンホール及びボタンホール周辺が糊の硬化によって硬くなってしまい、ボタンホールが開き難くなってしまう。
【０００５】
後者の十字型のボタンホールはかかる問題を解決したものであるが、ボタンホールが十字型のスリットの形態ではボタンをボタンホールに何度も挿入していると十字型のスリットを構成する４つの布片部分が次第によれてしまう。かかる４つの布片部分はボタンの外形にかなり近い面積を有しているので、かかるボタンホールにボタンを挿入してもボタンをその状態で保持することができなくなり、ボタンがボタンホールから直ぐに抜け落ちてしまう。
【０００６】
また、十字型のボタンホールに沿ってかがり糸をかがるような複雑なプログラムを備えたミシンが廉価に入手できず、結果的にボタンホールの十字の輪郭に沿って手縫いでかがり糸を縫わなければならず、コスト高となる。
【０００７】
なお、以上のような課題は、ズボンのウエスト前合わせ部に備わったボタンを掛ける場合についても同様に問題となる。
【０００８】
本考案の目的は、ボタンホールにボタンを容易に掛けることができるとともに、一旦ボタンホールにボタンを掛ければボタンがボタンホールから簡単に抜け落ちることのない簡易ボタン掛け用ボタンホールの構造を提供することにある。
【課題を解決するための手段】
【０００９】
上述した課題を解決するために、本考案にかかる簡易ボタン掛け用ボタンホールの構造は、シャツの前合わせ部に備わったボタンを掛ける簡易ボタン掛け用ボタンホールの構造であって、
シャツの前合わせ部であって当該前合わせ部の延在方向に形成され、挿入されるボタンの直径と同等かそれよりも大きい長さを有するスリット状のメインボタンホールと、前記メインボタンホールのシャツ下方側端部において当該メインボタンホールと交差する方向に形成され、当該メインボタンホールにボタンを挿入するのを補助する補助用ボタンホールを備え、
前記メインボタンホールと補助用ボタンホールとが略Ｔ字状をなしていることを特徴としている。
【００１０】
補助用ボタンホールを設けたので、糊付けによって開き難くなっていたボタンホールをこの補助用ボタンホールがボタン挿入の際に押し広げる役目を果たし、指先の細かい作業が苦手な高齢者やボタン掛けに慣れていない幼児などもボタンをボタンホールに容易に挿入することができる。
【００１１】
また、ボタンホールが略Ｔ字状をなしていることで、ボタンをボタンホールに何度も挿入しても従来の十字型のボタンホールのように十字型のスリットを構成する４つの布片部分が次第によれてしまうことがない。その結果、ボタンホールにボタンを何度も挿入してもボタンをその状態で保持することができ、ボタンがボタンホールから直ぐに抜け落ちてしまうこともない。
【００１２】
また、ボタンホールが略Ｔ字状をなしているので、十字型のボタンホールに沿ってかがり糸をかがるような複雑なプログラムを備えたミシンを特別に用いることなくボタンホールの周囲にかがり糸を縫うことができ、ボタンホールの製造コストを低く抑えることができる。
【００１３】
また、補助用ボタンホールがメインボタンホールのシャツ下端側端部に形成されているので、衣服を着てボタンを掛けた後、衣服のボタンホールの形成された側を下側に引っ張ることで、ボタンがメインボタンホールの上端位置すなわち補助用ボタンホールから最も離れたところに位置するようになり、ボタンホールからボタンが抜けにくくなる。
【００１４】
また、本考案の請求項２に記載の簡易ボタン掛け用ボタンホールの構造は、上着の前合わせ部に備わったボタンを掛ける簡易ボタン掛け用ボタンホールの構造であって、
上着の前合わせ部であって当該前合わせ部の延在方向と交差する方向に形成され、挿入されるボタンの直径と同等かそれよりも大きい長さを有するスリット状のメインボタンホールと、前記メインボタンホールの上着側方側端部において当該メインボタンホールと交差する方向に形成され、当該メインボタンホールにボタンを挿入するのを補助する補助用ボタンホールを備え、
前記メインボタンホールと補助用ボタンホールとが略Ｔ字状をなしていることを特徴としている。
【００１５】
請求項２に記載したように簡易ボタン掛け用ボタンホールの構造によると、請求項１に記載の簡易ボタン掛け用ボタンホールの構造によるボタンホールにボタンを掛け易いことや通常のミシンによってもかがり糸でかがることができることに加えて、補助用ボタンホールがメインボタンホールの上着側方側端部に形成されているので、上着を着てボタンを掛けた後、着衣者の上半身の動きによってボタンが補助用ボタンホールと反対側のメインボタンホールの端部に自然に位置するようになり、ボタンがボタンホールから抜けにくくなる。
【００１６】
また、請求項３に記載の簡易ボタン掛け用ボタンホールの構造は、シャツの首部に備わったボタンをシャツの襟部に止める簡易ボタン掛け用ボタンホールの構造であって、
シャツの襟部であって一端が当該襟部先端側に向かい他端が襟部基端側に向かって形成され、挿入されるボタンの直径と同等かそれよりも大きい長さを有するスリット状のメインボタンホールと、前記メインボタンホールの何れかの端部において当該メインボタンホールと交差する方向に形成され、当該メインボタンホールにボタンを挿入するのを補助する補助用ボタンホールを備え、
前記メインボタンホールと補助用ボタンホールとが略Ｔ字状をなしていることを特徴としている。
【００１７】
請求項１に記載したように簡易ボタン掛け用ボタンホールの構造によるボタンホールにボタンを掛け易いことや通常のミシンによってもかがり糸でかがることができることに加え、補助用ボタンホールがメインボタンホールの襟部先端側端部に備わっている場合、シャツの襟部にボタンを通した後、シャツの襟部先端をシャツの下側に引っ張るだけで、メインボタンホールの襟部基端側端部すなわち補助用ボタンホールから最も離れたところにボタンを移動させることができ、ボタンがボタンホールから抜けにくくなる。
【００１８】
また、補助用ボタンホールがメインボタンホールの襟部基端側端部に備わっている場合、シャツの襟部にボタンを通した後、シャツの襟部をシャツの首口側に引っ張ることで、メインボタンホールの襟部先端側端部すなわち補助用ボタンホールから最も離れたところにボタンを位置させることができ、ボタンがボタンホールから抜けにくくなる。
【００１９】
また、請求項４に記載の簡易ボタン掛け用ボタンホールの構造は、シャツの袖部に備わったボタンを掛ける簡易ボタン掛け用ボタンホールの構造であって、
シャツの袖部であって一端が袖合わせ部側に向かい他端が袖合わせ部と反対側に向かって形成され、挿入されるボタンの直径と同等かそれよりも大きい長さを有するスリット状のメインボタンホールと、前記メインボタンホールの袖合わせ部側と反対側端部において当該メインボタンホールと交差する方向に形成され、当該メインボタンホールにボタンを挿入するのを補助する補助用ボタンホールを備え、
前記メインボタンホールと補助用ボタンホールとが略Ｔ字状をなしていることを特徴としている。
【００２０】
請求項１に記載したように簡易ボタン掛け用ボタンホールの構造によるボタンホールにボタンを掛け易いことや通常のミシンによってもかがり糸でかがることができることに加えて、補助用ボタンホールがメインボタンホールの袖合わせ部と反対側端部に形成されているので、シャツを着て袖口にボタンを通した後、着衣者が腕を動かすことで袖口が拡がってメインボタンホールの袖合わせ部側端部すなわち補助用ボタンホールと最も離れたところにボタンが自然に位置するようになり、ボタンをボタンホールから抜けにくくすることができる。
【００２１】
また、請求項５に記載の簡易ボタン掛け用ボタンホールの構造は、ズボンのウエスト前合わせ部に備わったボタンを掛ける簡易ボタン掛け用ボタンホールの構造であって、ズボンのウエスト前合わせ部であってウエスト周り方向に延在形成され、挿入されるボタンの直径と同等かそれよりも大きい長さを有するスリット状のメインボタンホールと、前記メインボタンホールのウエスト前合わせ部と反対側端部において当該メインボタンホールと交差する方向に形成され、当該メインボタンホールにボタンを挿入するのを補助する補助用ボタンホールを備え、前記メインボタンホールと補助用ボタンホールとが略Ｔ字状をなしていることを特徴としている。
【００２２】
請求項１に記載したように簡易ボタン掛け用ボタンホールの構造によるボタンホールにボタンを掛け易いことや通常のミシンによってもかがり糸でかがることができることに加えて、補助用ボタンホールがメインボタンホールのウエスト前合わせ部と反対側端部に形成されているので、ズボンを穿いてウエスト前合わせ部のボタンを掛けた後、着衣者の下半身の動きによってボタンが補助用ボタンホールと反対側のメインボタンホールの端部に自然に位置するようになり、ボタンがボタンホールから抜けにくくなる。
【考案の効果】
【００２３】
本考案にかかる簡易ボタン掛け用ボタンホールの構造によると、指先の細かい作業が苦手な高齢者や指先の不自由な人もクリーニングされたきれいなシャツをすぐに着ることができる。また、ボタン掛けに慣れていない幼児のボタン掛けの練習にも適している。
【考案を実施するための最良の形態】
【００２４】
以下、本考案にかかる簡易ボタン掛け用ボタンホールの構造について説明する。
【００２５】
本考案の第１の実施形態にかかる簡易ボタン掛け用ボタンホール１０は、図１のシャツ全体図及び図２（ａ）のボタンホール部分拡大図に示すようにシャツＳの前合わせ部５０に所定の間隔で設けられており、この前合わせ部５０の延在方向と同一の方向に形成されたメインボタンホール１１と、このメインボタンホール１１のシャツ下側方向端部においてメインボタンホール１１と直交する方向に設けられた補助用ボタンホール１２とを有し、メインボタンホール１１と補助用ボタンホール１２が略Ｔ字状（シャツの装着状態で見て逆Ｔ字状）をなしている。メインボタンホール１１の長さは本実施形態の場合、通常のボタンホールと同様にこれに掛かるボタン１００の直径と厚みを足した程度でありボタン１００の直径の例えば約１．２倍〜１．５倍程度の長さである。また、補助用ボタンホール１２は、メインボタンホール１１に対して本実施形態の場合、両側に垂直に形成され、その補助用ボタンホール１２の長さはボタン１００の直径の例えば約０.８倍〜１．０倍程度の長さである。
【００２６】
そして、このようなメインボタンホール１１と補助用ボタンホール１２とで形成されたボタンホール１０の周囲を従来のボタンホールと同様にボタンホール１０に適したかがり糸１５を用いて一筆書きの要領でかがってある。
【００２７】
本考案の第１の実施形態にかかる簡易ボタン掛け用ボタンホール１０はこのような構成を有しているので、シャツＳをクリーニングに出して糊付けされた後にアイロンがけされて硬くなっても、ボタン１００の周縁をこのボタンホール１０のメインボタンホール１１に押し込むことによって、補助用ボタンホール１２が拡がって糊付けされたメインボタンホール１１が開くのを助ける。これによって、メインボタンホールのみから構成された従来のボタンホールのように糊付けされることでボタンホール１０が開き難くなるということが無くなる。
【００２８】
従って、指先の細かい作業が苦手な高齢者や指先の不自由な人もクリーニングされたきれいなシャツをすぐに着ることができる。また、ボタン掛けに慣れていない幼児のボタン掛けの練習にも適している。
【００２９】
また、ボタンホール１０がＴ字状をなすように形成されているので、従来の十字型をなすボタンホールのように十字型のスリットを構成する４つの布片部分が次第によれてしまうことがない。すなわち、従来の十字型ボタンホールのようにボタン１００の外形に近い面積を有する布片部分がよれることはない。その結果、ボタンホール１０にボタン１００を何度も挿入してもボタン１００をその状態で保持することができ、ボタン１００がボタンホール１０から直ぐに抜け落ちてしまうこともない。
【００３０】
また、ボタンホール１０が略Ｔ字状をなしているので、十字型のボタンホールに沿ってかがり糸をかがるような複雑なプログラムを備えたミシンを特別に用いることなくボタンホール１０の周囲にかがり糸を縫うことができ、ボタンホール１０の製造コストを低く抑えることができる。
【００３１】
続いて、本考案の第２の実施形態にかかる簡易ボタン掛け用ボタンホールの構造について説明する。
【００３２】
本考案の第２の実施形態にかかる簡易ボタン掛け用ボタンホール２０は、図３のジャケット全体図及び図４のボタンホール部分拡大図に示すようにジャケットＪの前合わせ部６０に所定の間隔で設けられており、この前合わせ部６０の延在方向と直交する方向に形成され、挿入されるボタンの直径と同等かそれよりも大きい長さを有するスリット状のメインボタンホール２１と、メインボタンホール２１のジャケット側方側端部において当該メインボタンホール２１と直交する方向に形成され、当該メインボタンホール２１にボタン１００を挿入するのを補助する補助用ボタンホール２２とを有し、メインボタンホール２１と補助用ボタンホール２２とで略Ｔ字状（ジャケットの装着状態で見て９０°時計方向に回転したＴ字状）をなしている。メインボタンホール２１の長さは本実施形態の場合、通常のボタンホールと同様にこれに掛かるボタン１００の直径と厚みを足した程度であり、ボタン１００の直径の例えば約１.２倍〜１．５倍程度の長さである。また、補助用ボタンホール２２は、メインボタンホール２１に対して本実施形態の場合、両側に垂直に形成され、その補助用ボタンホール２２の長さはボタン１００の直径の例えば約０.８倍〜１．０倍程度の長さである。
【００３３】
そして、このようなメインボタンホール２１と補助用ボタンホール２２とで形成されたボタンホール２０の周囲を従来のボタンホールと同様にボタンホールに適したかがり糸１５（図４参照）を用いて一筆書きの要領でかがってある。
【００３４】
本考案の第２の実施形態にかかる簡易ボタン掛け用ボタンホール２０はこのような構成を有しているので、ジャケットＪをクリーニングに出してアイロンがけされても、ボタン１００の周縁をこのボタンホール２０のメインボタンホール２１に押し込むことによって、補助用ボタンホール２２が拡がってメインボタンホール２１が開くのを助ける。これによって、メインボタンホールのみから構成された従来のジャケットのようにアイロンがけされることでボタンホール２０が開き難くなるということが無くなる。
【００３５】
従って、指先の細かい作業が苦手な高齢者や指先の不自由な人もジャケットをすぐに着ることができる。また、ボタン掛けに慣れていない幼児のボタン掛けの練習にも適している。
【００３６】
また、ボタンホール２０がＴ字状をなすように形成されているので、従来の十字型をなすボタンホールのように十字型のスリットを構成する４つの布片部分が次第によれてしまうことがない。すなわち、従来の十字型ボタンホールのようにボタン１００の外形に近い面積を有する布片部分がよれることはない。その結果、ボタンホール２０にボタン１００を何度も挿入してもボタン１００をその状態で保持することができ、ボタン１００がボタンホール２０から直ぐに抜け落ちてしまうこともない。
【００３７】
また、ボタンホール２０が略Ｔ字状をなしているので、十字型のボタンホールに沿ってかがり糸をかがるような複雑なプログラムを備えたミシンを特別に用いることなくボタンホール２０の周囲にかがり糸を縫うことができ、ボタンホール１０の製造コストを低く抑えることができる。
【００３８】
また、補助用ボタンホール２２がメインボタンホール２１のジャケット側方側端部に形成されているので、ジャケットを着てボタン１００を掛けた後、着衣者の上半身の動きによってボタン１００が補助用ボタンホール２２と反対側のメインボタンホール端部に自然に移動し、ボタン１００がボタンホール２０から抜けにくくなる。
【００３９】
続いて、本考案の第３の実施形態にかかる簡易ボタン掛け用ボタンホールの構造について説明する。
【００４０】
本考案の第３の実施形態にかかる簡易ボタン掛け用ボタンホール３０は、図１のシャツ全体図及び図２（ｂ）の一方のボタンホール（図１の右側のボタンホール）の拡大図のようにシャツＳの襟部７０であって一端が当該襟部先端側に向かい他端が襟部基端側に向かって形成されたメインボタンホール３１と、このメインボタンホール３１の襟部先端側端部においてメインボタンホール３１と直交する方向に設けられた補助用ボタンホール３２とを有し、メインボタンホール３１と補助用ボタンホール３２とで略Ｔ字状（図１においてはそれぞれ左右に約１３５°回転した略Ｔ字状）をなしている。メインボタンホール３１の長さは本実施形態の場合、通常のボタンホールと同様にこれに掛かるボタン１００の直径と厚みを足した程度であり、ボタン１００の直径の例えば約１．２倍〜１．５倍程度の長さである。また、補助用ボタンホール３２は、メインボタンホール３１に対して本実施形態の場合、両側に垂直に形成され、その補助用ボタンホール３２の長さはボタン１００の直径の例えば約０.８倍〜１．０倍程度の長さである。
【００４１】
そして、このようなメインボタンホール３１と補助用ボタンホール３２とで形成されたボタンホール３０の周囲を従来のボタンホールと同様にボタンホールに適したかがり糸１５（図２（ｂ）参照）を用いて一筆書きの要領でかがってある。
【００４２】
本考案の第３の実施形態にかかる簡易ボタン掛け用ボタンホール３０はこのような構成を有しているので、シャツＳをクリーニングに出して襟部７０が糊付けされた後にアイロンがけされて硬くなっても、ボタン１００の周縁をこのボタンホール３０のメインボタンホール３１に押し込むことによって、補助用ボタンホール３２が拡がって糊付けされたメインボタンホール３１が開くのを助ける。これによって、メインボタンホールのみから構成された従来のボタンホールのように糊付けされることでボタンホール３０が開き難くなるということが無くなる。
【００４３】
従って、指先の細かい作業が苦手な高齢者や指先の不自由な人もクリーニングされたきれいなシャツの襟部にボタンをすぐに掛けることができる。また、襟部のボタン掛けに慣れていない幼児のボタン掛けの練習にも適している。
【００４４】
また、ボタンホール３０がＴ字状に形成されているので、従来の十字型をなすボタンホールのように十字型のスリットを構成する４つの布片部分が次第によれてしまうことがない。すなわち、従来の十字型ボタンホールのようにボタン１００の外形に近い面積を有する布片部分がよれることはない。その結果、ボタンホール３０にボタン１００を何度も挿入してもボタン１００をその状態で保持することができ、ボタン１００がボタンホール３０から直ぐに抜け落ちてしまうこともない。
【００４５】
また、かがり糸１５がＴ字状の輪郭をなすようにかがってあるので、通常のボタンホールに比べて指で触れた時にそのボタンホール３０の位置を把握しやすくなる。そのため、特に襟部など鏡を見なければそのボタンホール３０の位置を把握しにくい場合においてボタン１００をボタンホール３０に簡単にかけることができる。
【００４６】
また、補助用ボタンホール３２がメインボタンホール３１の襟部先端側に備わっているので、ボタンホール３０にボタン１００を通した後、襟部先端をシャツＳの下側に引っ張るだけで、メインボタンホール３０の襟部基端側端部、すなわち補助用ボタンホール３２から最も離れたところにボタン１００を移動させることができ、ボタン１００がボタンホール３０から抜けにくくすることができる。
【００４７】
なお、上述の実施形態のように補助用ボタンホール３２がメインボタンホール３１の襟部先端側に備わる代わりに補助用ボタンホール３２がメインボタンホール３１の襟部基端側に備わっていても良い。このような場合、ボタンホール３０にボタン１００を掛けた後、襟部７０を例えばシャツ首口側に引っ張り上げることで、ボタン１００をメインボタンホール３１の襟部先端側端部すなわち補助用ボタンホール３２から最も離れたところに移動させることができ、ボタン１００がボタンホール３０から抜けにくくすることができる。
【００４８】
また、ボタンホール３０が略Ｔ字状をなしているので、十字型のボタンホールに沿ってかがり糸をかがるような複雑なプログラムを備えたミシンを特別に用いることなくボタンホール３０の周囲にかがり糸を縫うことができ、ボタンホール１０の製造コストを低く抑えることができる。
【００４９】
続いて、本考案の第４の実施形態にかかる簡易ボタン掛け用ボタンホールの構造について説明する。
【００５０】
本考案の第４の実施形態にかかる簡易ボタン掛け用ボタンホール４０は、図１のシャツ全体図及び図２（ｃ）の一方のボタンホール（図１の右側のボタンホール）の拡大図のようにシャツＳの袖部８０であって一端が袖合わせ部８０ａ側に向かい他端が袖合わせ部８０ａと反対側に向かって形成されたメインボタンホール４１と、このメインボタンホール４１の袖合わせ部８０ａと反対側端部においてメインボタンホール４１と直交する方向に設けられた補助用ボタンホール４２とを有し、メインボタンホール４１と補助用ボタンホール４２とで略Ｔ字状をなしている。メインボタンホール４１の長さは本実施形態の場合、通常のボタンホールと同様にこれに掛かるボタン１００の直径と厚みを足した程度であり、ボタン１００の直径の例えば約１．２倍〜１．５倍程度の長さである。また、補助用ボタンホール４２は、メインボタンホール４１に対して本実施形態の場合、両側に垂直に形成され、その補助用ボタンホール４２の長さはボタン１００の直径の例えば約０.８倍〜１．０倍程度の長さである。
【００５１】
そして、このようなメインボタンホール４１と補助用ボタンホール４２とで形成されたボタンホール４０の周囲を従来のボタンホールと同様にボタンホールに適したかがり糸１５（図２（ｃ）参照）を用いて一筆書きの要領でかがってある。
【００５２】
本考案の第４の実施形態にかかる簡易ボタン掛け用ボタンホール４０はこのような構成を有しているので、シャツをクリーニングに出して袖部が糊付けされた後にアイロンがけされて硬くなっても、ボタン１００をこのボタンホール４０のメインボタンホール４１に押し込むことによって、補助用ボタンホール４２が拡がって糊付けされたメインボタンホール４１が開くのを助ける。これによって、メインボタンホールのみから構成された従来のボタンホールのように糊付けされることでボタンホールが開き難くなるということが無くなる。
【００５３】
従って、指先の細かい作業が苦手な高齢者や指先の不自由な人もクリーニングされたきれいなシャツをすぐに着ることができる。また、ボタン掛けに慣れていない幼児のボタン掛けの練習にも適している。
【００５４】
特にシャツＳの袖部８０は生地の厚さが厚いことが多く、糊付けされるとボタン１００をボタンホール４０に通し難くなる傾向があるが、本実施形態のボタンホール４０によると、ボタン挿入の際にメインボタンホール４１が開くのを補助用ボタンホール４２が助けるので、ボタン１００が掛け易くなる。また、利き手側の袖口のボタン１００を掛ける際には、利き手側と反対側の手でボタン１００を掛けなければならなく、ボタン掛けがやり難いが、このボタンホール４０によると、このような場合のボタン掛けも簡単に行なうことができる。
【００５５】
また、ボタンホール４０が略Ｔ字状をなすように形成されているので、従来の十字型をなすボタンホールのように十字型のスリットを構成する４つの布片部分が次第によれてしまうことがない。すなわち、従来の十字型ボタンホールのようにボタン１００の外形に近い面積を有する布片部分がよれることはない。その結果、ボタンホール４０にボタン１００を何度も挿入してもボタン１００をその状態で保持することができ、ボタン１００がボタンホール４０から直ぐに抜け落ちてしまうこともない。
【００５６】
また、補助用ボタンホール４２がメインボタンホール４１の袖合わせ部８０ａと反対側端部に形成されているので、シャツＳを着て袖部８０にボタン１００を通した後、着衣者が腕を動かすことで袖口が拡がってボタン１００が自然にメインボタンホール４１の袖合わせ部８０ａ側端部、すなわち補助用ボタンホール４２と最も離れたところに自然に位置するようになりボタン１００をボタンホール４０から抜けにくくすることができる。
【００５７】
また、ボタンホール４０が略Ｔ字状をなしているので、十字型のボタンホールに沿ってかがり糸をかがるような複雑なプログラムを備えたミシンを特別に用いることなくボタンホール４０の周囲にかがり糸を縫うことができ、ボタンホール１０の製造コストを低く抑えることができる。
【００５８】
また、ボタンホール４０が略Ｔ字状の輪郭をなすようにかがり糸１５でかがってあるので、通常のボタンホールに比べて指で触れた時にボタンホール４０の位置を把握しやすくなる。そのため、腕が不自由で腕を上方に上げにくい人であってもボタンホール４０を目視することなくボタン１００をボタンホール４０に容易に掛けることができる。
【００５９】
なお、上述した第１の実施形態にかかるシャツＳの前合わせ部５０に形成されたボタンホール１０は必ずしも等間隔でなく、不等間隔で形成されていても良い。また、前合わせ部５０に形成された全てのボタンホールに第１の実施形態にかかる簡易ボタン掛け用ボタンホールの構造を適用する必要はなく、一部のボタンホールにこの簡易ボタン掛け用ボタンホールの構造を適用しても良い。
【００６０】
また、上述の実施形態の場合、補助用ボタンホールはメインボタンホールの一方の端部に対して直交する方向に形成されていたが、必ずしもこれに限定されず、メインボタンホールに対して適当な角度をもって交差するように形成されていても良い。
【００６１】
また、上述の実施形態では、メインボタンホールの長さをボタンの直径の約１．２倍〜１．５倍程度とし、補助用ボタンホールの長さをボタンの直径の約０.８倍〜１．０倍程度としたが、必ずしもこれには限定されず、本考案の作用を発揮できるのに適した長さであれば良い。
【００６２】
また、上述の簡易ボタン掛け用ボタンホールの構造は、高齢者や手先の不自由な人、幼児等がボタンを掛けるのに適しているが、その適用範囲は必ずしもこれらの人が着る衣服に限定されるものではないことは言うまでもない。
【００６３】
また、本考案にかかる簡易ボタン掛け用ボタンホールの構造を、ズボンのウエスト前合わせ部に備わったボタンを掛ける簡易ボタン掛け用ボタンホールの構造に適用しても良い。この場合、メインボタンホールはズボンのウエスト前合わせ部であってウエスト周り方向に延在形成され、挿入されるボタンの直径と同等かそれよりも大きい長さを有するスリット状に形成される。また、補助用ボタンホールはメインボタンホールのウエスト前合わせ部と反対側端部において当該メインボタンホールと交差する方向に形成され、当該メインボタンホールにボタンを挿入するのを補助する。そして、メインボタンホールと補助用ボタンホールとが略Ｔ字状をなしている。
【００６４】
このような簡易ボタン掛け用ボタンホールの構造をズボンのウエスト前合わせ部に適用することで、上述した簡易ボタン掛け用ボタンホールの構造によるボタンホールにボタンを掛け易いことや通常のミシンによってもかがり糸でかがることができることに加えて以下の効果を奏する。
【００６５】
具体的には、補助用ボタンホールがメインボタンホールのウエスト前合わせ部と反対側端部に形成されているので、ズボンを穿いてウエスト前合わせ部のボタンを掛けた後、着衣者の下半身の動きによってボタンが補助用ボタンホールと反対側のメインボタンホールの端部に自然に位置するようになり、ボタンがボタンホールから抜けにくくなる。
【図面の簡単な説明】
【００６６】
【図１】本考案の第１、第３、第４の実施形態にかかる簡易ボタン掛け用ボタンホールの構造を示した図である。
【図２】図１に示した実施形態のボタンホールを拡大して示した図（図２（ａ））、図１の右側に示した第３の実施形態のボタンホールを拡大して示した図（図２（ｂ））、及び図１の右側に示した第４の実施形態のボタンホールを拡大して示した図（図２（ｃ））である。
【図３】本考案の第２の実施形態にかかる簡易ボタン掛け用ボタンホールの構造を示した図である。
【図４】図３に示した実施形態のボタンホールを拡大して示した図である。
【符号の説明】
【００６７】
１０，２０，３０，４０ボタンホール
１１，２１，３１，４１    メインボタンホール
１２，２２，３２，４２    補助用ボタンホール
１５    かがり糸
５０，６０    前合わせ部
７０    襟部
８０    袖部
８０ａ    袖合わせ部
１００    ボタン
Ｊ    ジャケット
Ｓ    シャツ
【図１】
0003108294.tif 000003
【図２】
0003108294.tif 000004
【図３】
0003108294.tif 000005
【図４】
0003108294.tif 000006